(57)【特許請求の範囲】
【請求項１】
樹脂などの弾性を有する材料で成形されて所定の流動体が充填される容器本体と、
前記容器本体の開口部に密閉状態に嵌着され、ほぼ中央部に形成した液吐出口に連通する中空軸を一体的に突設した中間軸部材と、
前記中間軸部材に圧入状態に嵌合され、中間軸部材の中空軸が圧入される連通路と、前記連通路より偏心した側方に形成されている塗布体取付孔と、前記連通路より塗布体取付孔に連通する連絡通路とが形成された先端軸部材と、
前記中間軸部材に先端軸部材を嵌合することによって、中空軸の先端部と連通路とにより形成されるシール室と、
前記シール室に組み込まれ、先端軸部材の連通路に形成された小径のシール用段部に押し付けられてシール室の内部と外部とを遮断する弁体と、
前記弁体をシール段部に押し付ける弁バネなどの弾性体と、
前記先端軸部材の塗布体取付孔に嵌着されて流動体を塗布する塗布体と、
前記容器本体の先端部に取付けられるキャップと、
前記キャップの内側中央部に突設した、先端軸部材の連通路に挿入される所定長さの弁押し棒とからなり、
前記シール室に組み込まれた弁体が先端軸部材の連通路に形成されたシール用段部に押し付けられて連通路を閉止している状態において、容器本体内の流動体が中空軸を通ってシール室に流れ、さらにシール室から中空軸の側面の連絡通路を通って塗布体を嵌着した塗布体取付孔に流れ込み、
前記キャップが容器本体の先端部に装着され、前記キャップの弁押し棒が先端軸部材の連通路を閉止している弁体を押し出して中空軸を塞いでいる状態において、前記容器本体からシール室に流れ込む流動体を遮断するように構成したことを特徴とする流動体塗布具。
【請求項２】
前記先端軸部材に塗布体が嵌着される塗布体取付孔に座ぐり部を深くした凹嵌部を形成し、
前記凹嵌部に先端軸部材の連絡通路に連通する第２連絡通路を形成した塞ぎ栓を嵌め込み、
前記塗布体に塞ぎ栓の第２連絡通路に連通する導入孔を形成したことにより塗布体に流動体の浸み込みをよくするようにしたことを特徴とする請求項１記載の流動体塗布具。
【請求項３】
前記先端軸部材に塗布体が嵌着される塗布体取付孔に座ぐり部を深くした凹嵌部を形成し、
前記凹嵌部に流動体の液保持力を高める液吸収体を嵌着したことを特徴とする請求項１記載の流動体塗布具。
【請求項４】
前記先端軸部材に塗布体が嵌着される塗布体取付孔に座ぐり部を深くした凹嵌部を形成し、
前記凹嵌部に先端軸部材の連絡通路に連通する第２連絡通路を形成した塞ぎ栓を嵌め込み、前記塗布体をブラシにより成形するとともに、この塗布体に付帯塞ぎ栓の第２連絡通路に連通する導入孔を形成し、
前記塗布体の導入孔に流動体の液保持力を高める液吸収体を嵌着したことを特徴とする請求項１記載の流動体塗布具。
【発明の詳細な説明】
【０００１】
【産業上の利用分野】
本発明は流動体塗布具に関し、さらに詳しくは、弾性容器内に充填した流動体を先端の塗布体に直接供給して塗布するよう構成した流動体塗布具に関する。
【０００２】
【従来の技術】
従来、容器の先端部に流動体の吐出口を設け、その吐出口を開閉する弁体を備え、容器内に充填した流動体を開弁時に吐出口から流出させて塗布するように構成したもの、あるいは吐出口より流出された流動体を直接塗布体に浸み込ませて塗布するようにしたものなど流動体の塗布具が知られている。
【０００３】
これらの塗布具として、例えば、特開平５−３０５５２９号公報、実開平５−３１９９６号公報に開示されている塗布具などのように、先端の塗布部を直接押し込むことにより弁体を開閉して流動体を流出させるようにした修正液の塗布具などの他に、インキ、塗料、化粧料、各種補修剤および靴墨などの流動体を充填した各種の塗布具が提案されている。
【０００４】
上記公知の塗布具のうち、図１３および図１４に示すように、靴墨などの流動体を充填した塗布具１００に基づいて説明する。
まず、弾性体により成形された貯蔵体１０１には靴墨などの流動体が充填されており、この貯蔵体１０１の先端部には、中心部に液吐出口１０２を有する先端部材１０３が固着されている。そして、この先端部材１０３の外側には、リング状のスポンジからなる塗布体１０４が固着されており、不使用時には、キャップ１０５を貯蔵体１０１の先端部材１０３に螺着したとき、キャップ１０５の内側中央部に突設したシール棒１０６が塗布体１０４の中心部を貫通して先端部材１０３の液吐出口１０２を塞ぐようになっている。
【０００５】
このように、塗布具１００が使用されないときは、キャップ１０５が嵌着されており、キャップ１０５のシール棒１０６が液吐出口１０２を塞いでいるので、貯蔵体１０１を押し付けても流動体が液吐出口１０２より吐出されることはないが、使用時にはキャップ１０５を外して貯蔵体１０１を押し、内部の流動体を液吐出口１０２より押し出して塗布体１０４に浸み込ませながら塗り付けるようになっている。
【０００６】
【発明が解決しようとする課題】
しかしながら、上記した従来の塗布具１００では、流動体の液吐出口１０２が直接外部に開口しているために、粘性の低い流動体を充填している塗布具の場合には、使用の際にキャップ１０５を取外して貯蔵体１０１を振り出すと、貯蔵体１０１内に充填した流動体が外部に飛び散ったり、あるいは貯蔵体１０１を押し付けたりすると、流動体が勢いよく外部に飛び出して周囲を汚すなどの技術的課題があった。
【０００７】
そこで、従来のこのタイプの塗布具１００を使用する場合には、まず、キャップ１０５を取り外した後、塗布する相手側に塗布体１０４を押し当てて、貯蔵体１０１の容器を押し付けて流動体を吐出させ、吐出された流動体がスポンジなどの塗布体１０４と塗布する相手側とにより封じられて外部に洩れないようにし、かつ塗布体１０４に浸み込ませながら液洩れやタレのないように注意深く塗布する必要があるが、塗布作業が面倒であるなど、使い勝手の良い塗布具を得ることができないという問題があった。
【０００８】
また、不使用時には、キャップ１０５のシール棒１０６により貯蔵体１０１の液吐出口１０２を塞ぐようにしているために、この液吐出口１０２の上面に塗布体１０４を設けることができないので、粘性の低い流動体が外部に飛散するものであり、流動体の粘性を高くして外部への飛散を防止するようにした場合には、塗布面にムラが生じたり、流動体の消費量が増大するなどの課題があり、使用目的によっては粘性の高い流動体を使用することができないものもある。
【０００９】
さらに、上記した従来の塗布具１００において、液吐出口１０２から吐出された流動体を外部に洩らさないようにするために、吐出口１０２の周囲に固着した塗布体１０４を液体吸収性のよいスポンジで形成する必要があり、液体吸収性のあまり良くない刷毛やブラシを用いることは適さないものであった。またスポンジを使用したものであっても、時間の経過とともに塗布体１０４の劣化が進み、塗布を繰り返すことにより破損したスポンジの破片が、塗布する相手側に付着して塗布面を汚すなどの課題があった。
【００１０】
一方、前述した特開平５−３０５５２９号公報、実開平５−３１９９６号公報に開示されている塗布具などのように、先端の塗布部を直接押し込むことにより弁体を開閉して流動体を流出させるようにした塗布具であっても、塗布体がフェルトなどで形成されている場合が多く、時間の経過とともに劣化が進み、塗布を繰り返すことにより、劣化により塗布部の破片が塗布する相手側に付着して塗布面を汚したり、あるいは塗布体の先端部の太さや塗布幅などが変形して余分なところまで消去してしまうおそれがあるなどの課題があった。特に、これらの都不具にあって、塗布体の周囲から流動体が供給されるため、流動体が塗布体に吸収される前に塗布する相手側に付着し、いわゆる塗布ムラが生じやすいという課題があった。
【００１１】
本発明は、上記した従来の塗布具の課題を解決するためになされたもので、塗布具のキャップを取外すことにより弁体を開き、容器本体より流動体を直接塗布体に供給して塗布体による塗布作業を容易にし、流動体の外部への飛散を防止しすると共に、塗布ムラが生じ難い流動体塗布具を提供することを目的とするものである。
【００１２】
【課題を解決するための手段】
このような目的を達成するために、本発明による流動体塗布具は、樹脂などの弾性を有する材料で成形されて所定の流動体が充填される容器本体と、前記容器本体の開口部に密閉状態に嵌着され、ほぼ中央部に形成した液吐出口の外側に液吐出口に連通する中空軸を一体的に突設した中間軸部材と、前記中間軸部材に圧入状態に嵌合され、中間軸部材の中空軸が圧入される連通路、連通路より偏心した側方に形成されている塗布体取付孔、および連通路より塗布体取付孔に連通する連絡通路とが形成された先端軸部材と、前記中間軸部材に先端軸部材を嵌合したとき、中空軸の先端部と連通路とにより形成されるシール室に組み込まれ、先端軸部材の連通路に形成された小径のシ−ル用段部に押し付けられてシール室の内部と外部とを遮断する弁体および弁バネなどの弾性体と、前記先端軸部材の塗布体取付孔に嵌着されて流動体を塗布する塗布体とからなり、前記中間軸部材に先端軸部材を嵌合したとき、シール室に組み込まれた弁体が先端軸部材の連通路に形成されたシ−ル用段部に押し付けられて連通路を閉止している状態で、容器本体内の流動体が中空軸を通ってシール室に流れ、さらにシール室から中空軸の側面の連絡通路を通って塗布体を嵌着した塗布体取付孔に流れ込むように構成されており、前記容器本体の先端部に取付けられるキャップの内側中央部に先端軸部材の連通路に挿入される所定長さの弁押し棒を突設し、前記キャップを容器本体の先端部に装着したとき、前記キャップの弁押し棒が先端軸部材の連通路を閉止している弁体を押し出して中空軸を塞ぎ、前記容器本体からシール室に流れ込む流動体を遮断するものである。
【００１３】
【作用】
このような構成に基づいて、本発明によれば、塗布具が使用されずに保管されているときや輸送中などには、容器本体の先端部にキャップが取付けられており、シール室内に組み込まれている弁体が、キャップの弁押し棒により中空軸の先端に押し付けられて流動体がシール室内に流れ込まないように遮断されているので、容器本体を押し付けたりしても流動体がシール室に洩れ出すことがない。また、容器本体の先端部よりキャップを取外して使用するときには、弁押し棒による弁体の押し込みが解除されるので、弁体は弾性体により先端軸部材の連通路に形成したシ−ル用段部に押し付けられてシール室内と外部とが遮断される。このために、シール室内の流動体が外部に漏出するのが防止されるとともに、容器本体よりシール室内に流れてきた流動体が連絡通路を通り塗布体取付孔に流れ込むので、容器本体を握り塗布体を所望の塗布面に塗り付けることにより、塗布体に浸み込んだ流動体が塗布されるものである。
【００１４】
したがって、本発明による流動体塗布具では、流動体の液吐出口が直接外部に開口せず、使用時には容器本体内の流動体がシール室を経て直接塗布体に供給されるとともに、使用しないときにはキャップを装着することにより、流動体の通路が遮断されるようにしたので、流動体の粘性にかかわらず使用性の良好な塗布具を得ることができる。
【００１５】
【実施例】
以下本発明の実施例を図面に基づいて詳細に説明する。
【００１６】
図１は本発明による流動体塗布具の第１の実施例を示す不使用時における縦断面図、図２は図１のキャップを取外した使用状態の要部を示す縦断面図、図３は図１の要部を示す拡大図、図４は図２の要部を示す拡大図である。
【００１７】
図において、容器本体１は、樹脂などの弾性を有する材料で成形されており、この容器本体１に所定の流動体を充填した後、容器本体１の先端開口部には、ほぼ中央部に液吐出口２ａを形成した中間軸部材２が密閉状態にネジまたは溶着などにより嵌着するとともに、上記中間軸部材２の先端部には、中間軸部材２を覆う先端軸部材３が圧入または溶着により嵌着されている。
【００１８】
上記中間軸部材２に形成された液吐出口２ａの外側には、液吐出口２ａに連通する中空軸２ｂが一体的に突設されており、この中間軸部材２に先端軸部材３を嵌着したとき、中間軸部材２の中空軸２ｂが先端軸部材３の連通路３ａ内に圧入状態に嵌合され、中空軸２ｂの先端部と先端軸部材３の連通路３ａとの間にシール室４が形成されるようになっている。
【００１９】
そして、上記中間軸部材２に先端軸部材３を嵌着する際に、シール室４にはチェックボールなどの弁体５が弁バネなどの弾性体６を介して組み込まれており、このシール室４に組み込まれた弁体５が、弾性体６により先端軸部材３の連通路３ａに形成された小径のシ−ル用段部３ｂに押し付けられて連通路３ａを閉止し、容器本体１の内部と外部とが遮断されるようになっている。
尚、シ−ル用段部３ｂの弁体５側の縁部は直角形状あるいはテ−パ面とする以外に、弁体の形状に合わせて球面としても良い。
【００２０】
また、上記先端軸部材３の中心部に形成された連通路３ａより偏心した側方には、フェルト、スポンジ、あるいは刷毛やブラシなどからなる塗布体７が嵌着される塗布体取付孔８が貫通して形成されており、この塗布体取付孔８の底部には、塗布体７の基端部に形成された鍔部７ａが係合する座ぐり部８ａが形成されている。そして、塗布体７を先端軸部材３の塗布体取付孔８に嵌着したとき、塗布体７の鍔部７ａが座ぐり部８ａに係合するとともに、中間軸部材２に先端軸部材３を嵌着することにより塗布体７の後端面が中間軸部材２により抑えられて抜け止めされている。
【００２１】
さらに、上記中間軸部材２に先端軸部材３を嵌着したとき、シール室４より中間軸部材２に突設された中空軸２ｂの側面を通って塗布体取付孔８の座ぐり部８ａに連通する連絡通路３ｃが形成されており、このシール室４に組み込まれた弁体５が、先端軸部材３の連通路３ａに形成されたシ−ル用段部３ｂに押し付けられて連通路３ａを閉止している状態で、容器本体１に充填された流動体が中空軸２ｂを通ってシール室４に流れ、このシール室４からさらに中空軸２ｂの側面に形成された連絡通路３ｃを通り塗布体取付孔８の座ぐり部８ａに流れ込むようになっている。
【００２２】
一方、上記容器本体１の先端部に取付けられるキャップ１０は、中間軸部材２の外周側面に形成されたネジ部９に螺着されるものであり、このキャップ１０の内側中央部には、先端軸部材３の連通路３ａに挿入される所定長さの弁押し棒１１が突設されている。そして、キャップ１０を中間軸部材２のネジ部９に螺着したとき、キャップ１０の弁押し棒１１が先端軸部材３の連通路３ａに挿入され、連通路３ａを閉止している弁体５が弾性体６に抗して押し戻され、中空軸２ｂの先端のテーパ部２ｃに押し付けられるので、容器本体１から中空軸２ｂを通ってシール室４に流れ込む流動体が遮断されるようになっている。
【００２３】
以上の構成に基づいて、塗布具が使用されずに保管されているときや輸送中などには、容器本体１の先端部にキャップ１０が取付けられており、図１および図３に示すように、シール室４内に組み込まれている弁体５が、キャップ１０の弁押し棒１１により中空軸２ｂの先端に押し付けられて流動体がシール室４内に流れ込まないように遮断されている。したがって、容器本体１を押し付けたり、周囲温度の上昇などにより容器本体１の内圧が上昇しても流動体がシール室４に洩れ出すことがない。
【００２４】
また、容器本体１の先端部よりキャップ１０を取外して使用するときには、図２および図４に示すように、弁押し棒１１による弁体５の押し込みが解除されるので、弁体５は弾性体６により先端軸部材３の連通路３ａに形成したシ−ル用段部３ｂに押し付けられてシール室４内と外部とが遮断される。このために、シール室４内の流動体が外部に漏出するのが防止されるとともに、容器本体１よりシール室４内に流れてきた流動体が連絡通路３ｃを通り塗布体取付孔８の座ぐり部８ａに流れ込む。したがって、容器本体１を握り、塗布体７を所望の塗布面に塗り付けることにより、塗布体７に浸み込んだ流動体が塗布されるものであり、ときどき容器本体１を押し付けながら連続して塗布することができる。
【００２５】
なお、本発明によりシール室４に組み込まれる弁体５は、球形のチェックボールに限定することなく、ピストン状に成形することも可能であり、金属製の弁体５は防錆効果のあるステンレス製が好ましい。また、弁体５を押し付けている弁バネなどの弾性体６にはコイルバネが使用されているが、樹脂製でもよい。
【００２６】
さらに、容器本体１に充填された流動体が中空軸２ｂを通ってシール室４に流れ、このシール室４からさらに中空軸２ｂの側面に形成された連絡通路３ｃを通り塗布体取付孔８の座ぐり部８ａに流れ込むようになっているが、この連絡通路３ｃは、先端軸部材３の塗布体取付孔８に嵌着された塗布体７の先端部に近い位置に連通するように形成することもできる。しかし、本発明の実施例によれば、塗布体７の全体に流動体を浸みこませて一回の吐出量で塗布面積を多くし、かつ多量に流動体を吐出させても塗布体７が液を保持する体積を大きくすることができるので、液ダレを防止する効果がある。したがって、容器本体１を押し過ぎて流動体が多量に吐出されても、容器本体１の押し付け力を解除すると、塗布体７側に吐出された余分な流動体が再び容器本体１側に引き戻すことができる。
【００２７】
図５は本発明による流動体塗布具の第２の実施例を示す不使用時における要部の縦断面図、図６は図５のキャップを取外した使用状態の要部を示す縦断面図であり、図において第１の実施例と共通する同一部品には同一符合を付して説明を省略する。
【００２８】
本発明による第２の実施例では、塗布体７の鍔部７ａが係合する先端軸部材３に座ぐり部８ａを深くした凹嵌部８ｃを形成し、この凹嵌部８ｃに、先端軸部材３の連絡通路３ｃに連通する第２連絡通路１２ａを形成した塞ぎ栓１２を嵌め込むとともに、上記塞ぎ栓１２の第２連絡通路１２ａに連通する導入孔７ｂを塗布体７の基端部より所定の長さに形成することにより、塗布体７に流動体の浸み込みをよくするようにしたものである。
【００２９】
したがって、第２実施例による塗布具のキャップ１０を取り外して使用する場合には、容器本体１よりシール室４内に流れてきた流動体が先端軸部材３の連絡通路３ｃを通り、凹嵌部８ｃに嵌め込まれた塞ぎ栓１２の第２連絡通路１２ａを通って塗布体７のほぼ中心に設けられた導入孔７ｂから塗布体７の全体に浸み込むので、流動体が塗布体７に吸収され易く、液ダレもなく良好な塗布性を得ることができる。
【００３０】
図７は本発明による流動体塗布具の第３の実施例を示す不使用時における要部の縦断面図、図８は図７のキャップを取外した使用状態の要部を示す縦断面図であり、図において第１および第２の実施例と共通する同一部品には同一符合を付して説明を省略する。
【００３１】
本発明による第３の実施例では、第２実施例と同様に、塗布体７の鍔部７ａが係合する先端軸部材３に座ぐり部８ａを深くした凹嵌部８ｃを形成し、この凹嵌部８ｃに、流動体の液保持力が良好なスポンジなどの液吸収体１３を嵌め込んだものであり、このように構成することにより、容器本体１よりシール室４を経て凹嵌部８ｃに供給された流動体が液吸収体１３に多量に吸収されるので、容器本体１を一回握るだけでり、大きな塗布面積を連続して塗布することができるなどの利得がある。
【００３２】
図９は本発明による流動体塗布具の第４の実施例を示す不使用時における要部の縦断面図、図１０は図９のキャップを取外した使用状態の要部を示す縦断面図であり、図において第１および第２の実施例と共通する同一部品には同一符合を付して説明を省略する。
【００３３】
塗布具の塗布体７に繊維を結束または焼きまとめたブラシ、あるいはヘイ線を用いて繊維を植付けたブラシなどが使用される場合には、ブラシの繊維密度が低く、流動体の液保持力が小さいので液ダレが起り易いという課題があるので、本発明による第４の実施例では、第３の実施例と同様に、塗布体７の鍔部７ａが係合する先端軸部材３に座ぐり部８ａを深くした凹嵌部８ｃを形成し、この凹嵌部８ｃに、先端軸部材３の連絡通路３ｃに連通する第２連絡通路１２ａを形成した塞ぎ栓１２を嵌め込むとともに、上記塗布体７に基端部より所定の長さに亙って塞ぎ栓１２の第２連絡通路１２ａに連通する導入孔７ｂを形成し、この導入孔７ｂに流動体の液保持力が良好なスポンジなどの液吸収体１４を嵌め込んだものであり、このように構成することにより、流動体の液保持力が大きく、液ダレなどが起らないブラシによる塗布体７を得ることができる。
【００３４】
図１１は本発明による流動体塗布具の第５の実施例を示す不使用時における要部の縦断面図、図１２は図１１のキャップを取外した使用状態の要部を示す縦断面図であり、図において第１および第２の実施例と共通する同一部品には同一符合を付して説明を省略する。
【００３５】
本発明による第５の実施例では、第２実施例と基本的構造が同一であり、中間軸部材２の中空軸２ｂの先端部と先端軸部材３の連通路３ａとの間に形成されたシール室４に組み込まれる弁体１５が、ピストン状に形成されている。この弁体１５の両端部が半球状または円錐状に成形されており、不使用時にキャップ１０を装着したとき、図１１に示すように、キャップ１０の弁押し棒１１が先端軸部材３の連通路３ａに挿入され、連通路３ａを閉止している弁体１５が中空軸２ｂの先端のテーパ部２ｃに押し付けられて、容器本体１から中空軸２ｂを通ってシール室４に流れ込む流動体が遮断されるようになっている。
【００３６】
また、容器本体１の先端部よりキャップ１０を取外して使用するときには、図１２に示すように、弁押し棒１１による弁体１５の押し込みが解除されるので、弁体１５は弾性体６により先端軸部材３の連通路３ａに形成したシ−ル用段部３ｂに押し付けられてシール室４内と外部とが遮断される。このために、シール室４内の流動体が外部に漏出するのが防止されるとともに、容器本体１よりシール室４内に流れてきた流動体が連絡通路３ｃを経て通り凹嵌部８ｃに嵌め込まれた塞ぎ栓１２の第２連絡通路１２ａを通り塗布体７のほぼ中心に設けられた導入孔７ｂから塗布体７の全体に浸み込むようになっている。
【００３７】
なお、本発明による流動体塗布具は、図面で説明した実施例に限定するものではなく、発明の主旨を逸脱しない範囲で種々の変形例や組み合わせが可能であり、使用される流動体も適宜選定することができる。
【００３８】
【発明の効果】
以上詳細に説明したように、本発明による流動体塗布具によれば、塗布具が使用されずに保管されているときや輸送中などには、容器本体の先端部にキャップが取付けられており、シール室内に組み込まれている弁体が、キャップの弁押し棒により中空軸の先端に押し付けられて流動体がシール室内に流れ込まないように遮断されているので、容器本体を押し付けたり周囲温度の上昇などにより容器本体の内圧が上昇しても流動体がシール室に洩れ出すことがない。
【００３９】
また、容器本体の先端部よりキャップを取外して使用するときには、弁押し棒による弁体の押し込みが解除されるので、弁体は弾性体により先端軸部材の連通路に形成したシ−ル用段部に押し付けられてシール室内と外部とが遮断されるので、シール室内の流動体が外部に漏出するのが防止されるとともに、容器本体よりシール室内に流れてきた流動体が連絡通路を通り塗布体取付孔に流れ込むので、容器本体を握り塗布体を所望の塗布面に塗り付けることにより、塗布体全体に浸み込んだ流動体をムラなく塗布することができるとともに、容器本体を押し付けながら連続して塗布することができる。
【００４０】
さらに本発明によれば、塗布体に流動体を浸みこませるのに、従来構造のように先端の塗布体を直接押し込んで弁体を開閉する必要もなく、塗布体にはスポンジやフェルト、あるいは刷毛やブラシなどが使用される流動体の種類や粘性に対応して適宜使用することができる。
【００４１】
したがって、本発明による流動体塗布具では、使用時には容器本体内の流動体がシール室を経て直接塗布体に供給されるとともに、使用しないときにはキャップを装着することにより、流動体の通路が遮断されるようにしたので、流動体の粘性にかかわらず使用性の良好な塗布具を得ることができる。
【図面の簡単な説明】
【図１】本発明による流動体塗布具の第１の実施例を示す不使用時における要部の縦断面図である。
【図２】図１のキャップを取外した使用状態の要部を示す縦断面図である。
【図３】図１の要部を示す拡大図である。
【図４】図２の要部を示す拡大図である。
【図５】本発明による流動体塗布具の第２の実施例を示す不使用時における要部の縦断面図である。
【図６】図５のキャップを取外した使用状態の要部を示す縦断面図である。
【図７】本発明による流動体塗布具の第３の実施例を示す不使用時における要部の縦断面図である。
【図８】図７のキャップを取外した使用状態の要部を示す縦断面図である。
【図９】本発明による流動体塗布具の第４の実施例を示す不使用時における要部の縦断面図である。
【図１０】図９のキャップを取外した使用状態の要部を示す縦断面図である。
【図１１】本発明による流動体塗布具の第５の実施例を示す不使用時における要部の縦断面図である。
【図１２】図１１のキャップを取外した使用状態の要部を示す縦断面図である。
【図１３】従来構造の靴墨塗布具を示す不使用時における縦断面図である。
【図１４】図１３のキャップを取外した使用状態を示す縦断面図である。
【符号の説明】
１  容器本体
２  中間軸部材
２ａ  液吐出口
２ｂ  中空軸
３  先端軸部材
３ａ  連通路
３ｂ  シ−ル用段部
３ｃ  連絡通路
４  シール室
５  弁体
６  弾性体
７  塗布体
８  塗布体取付孔
８ａ  座ぐり部
１０  キャップ
１１  弁押し棒
【図１】
0003615571.tif 000002
【図２】
0003615571.tif 000003
【図３】
0003615571.tif 000004
【図４】
0003615571.tif 000005
【図５】
0003615571.tif 000006
【図６】
0003615571.tif 000007
【図７】
0003615571.tif 000008
【図８】
0003615571.tif 000009
【図９】
0003615571.tif 000010
【図１０】
0003615571.tif 000011
【図１１】
0003615571.tif 000012
【図１２】
0003615571.tif 000013
【図１３】
0003615571.tif 000014
【図１４】
0003615571.tif 000015